(57)【要約】【課題】人体に適切な対応可能な自動通報装置を提供する。【解決手段】血糖値検出部４１は、人体１の血糖値Ｂを検出可能である。異常判定部７０は、予め設定される血糖値の閾値である低血糖値Ｂ＿ｌｏｗよりも血糖値Ｂが低いとき、または、予め設定される閾値である高血糖値Ｂ＿ｕｐｐよりも血糖値Ｂが高いとき、人体１が異常であると判定する。自動発報部７５は、人体１が異常であると異常判定部７０が判定したとき、自動通報または自動警報を発する。これにより、血糖値Ｂの上昇および低下の両方を見ることができ、それに伴う症状を外部から確認できる。このため、自動通報装置１１は、人体に適切な対応ができる。【選択図】図１
2019040291.tif 000002
【特許請求の範囲】
【請求項１】
人体（１）の血糖値（Ｂ）を検出可能な血糖値検出部（４１）と、
予め設定される前記血糖値の閾値である低血糖値（Ｂ＿ｌｏｗ）よりも前記血糖値が低いとき、または、前記低血糖値よりも高く、予め設定される閾値である高血糖値（Ｂ＿ｕｐｐ）よりも前記血糖値が高いとき、前記人体が異常であると判定する異常判定部（７０）と、
前記人体が異常であると前記異常判定部が判定したとき、自動通報または自動警報を発する自動発報部（７５）と、
を備える自動通報装置。
【請求項２】
前記血糖値検出部は、前記人体に接触して前記血糖値を検出する請求項１に記載の自動通報装置。
【請求項３】
前記人体の位置情報を取得する位置検出部（４４）をさらに備え、
前記自動発報部は、通報または警報とともに前記位置情報を発する請求項１または２に記載の自動通報装置。
【請求項４】
前記人体からの音を検出可能な音検出部（４５）と、
前記人体に発生可能な発声部（４６）と、
前記人体を撮像可能なカメラ（４７）と、
前記カメラが撮像した映像を表示可能なモニタ（４９）と、
をさらに備え、
３つの前記低血糖値が設定されており、３つのうちの１つの前記低血糖値を第１低血糖値（Ｂ１＿ｌｏｗ）とし、前記第１低血糖値よりも低く設定される前記低血糖値を第２低血糖値（Ｂ２＿ｌｏｗ）とし、前記第２低血糖値よりも低く設定される前記低血糖値を第３低血糖値（Ｂ３＿ｌｏｗ）とすると、
前記血糖値が前記第１低血糖値未満、前記第２低血糖値以上であるとき、前記異常判定部は、前記人体は異常であると判定し、
前記血糖値が前記第２低血糖値未満、前記第３低血糖値以上であるとき、前記音検出部は、前記人体からの音を検出し、前記発声部は、前記人体に向かって発生し、
前記血糖値が前記第３低血糖値未満であるとき、前記カメラは、前記人体を撮像し、前記モニタは、前記カメラが撮像した映像を表示する請求項１から３のいずれか一項に記載の自動通報装置。
【請求項５】
前記人体からの音を検出可能な音検出部（４５）と、
前記人体に発生可能な発声部（４６）と、
前記人体を撮像可能なカメラ（４７）と、
前記カメラが撮像した映像を表示可能なモニタ（４９）と、
をさらに備え、
３つの前記高血糖値が設定されており、３つのうちの１つの前記高血糖値を第１高血糖値（Ｂ１＿ｕｐｐ）とし、前記第１高血糖値よりも高く設定される前記高血糖値を第２高血糖値（Ｂ２＿ｕｐｐ）とし、前記第２高血糖値よりも高く設定される前記高血糖値を第３高血糖値（Ｂ３＿ｕｐｐ）とすると、
前記血糖値が前記第１高血糖値を超え、前記第２高血糖値以下であるとき、前記異常判定部は、前記人体は異常であると判定し、
前記血糖値が前記第２高血糖値を超え、前記第３高血糖値以下であるとき、前記音検出部は、前記人体からの音を検出し、前記発声部は、前記人体に向かって音を発し、
前記血糖値が前記第３高血糖値を超えるとき、前記カメラは、前記人体を撮像し、前記モニタは、前記カメラが撮像した映像を表示する請求項１から４のいずれか一項に記載の自動通報装置。
【請求項６】
前記低血糖値よりも前記血糖値が低かったときの回数である低血糖回数（Ｃ＿ｌｏｗ）または前記高血糖値よりも前記血糖値が高かったときの回数である高血糖回数（Ｃ＿ｈｉｇｈ）を記録可能な記録部（７１）をさらに備える請求項１から５のいずれか一項に記載の自動通報装置。
【請求項７】
前記人体の尿酸値（Ｕ）を検出可能な尿酸値検出部（７２）をさらに備え、
前記異常判定部は、予め設定される前記尿酸値の閾値である尿酸上限値（Ｕ＿ｕｐｐ）よりも前記尿酸値が高いとき、前記人体が異常であると判定する請求項１から６のいずれか一項に記載の自動通報装置。
【発明の詳細な説明】
【技術分野】
【０００１】
本発明は、自動通報装置に関する。
【背景技術】
【０００２】
従来、糖尿病治療では、人体の血糖値が比較的高いとき、インスリン製剤等の薬物が投与されることが知られている。特許文献１の記載のように、血糖値を測定し、その値に応じて、自動的にインスリンを体内に注入するシステムが知られている。
【０００３】
また、従来、人体の血糖値が低下しすぎると、意識障害、けいれんおよび昏睡等の大脳機能低下症状が現れることが知られている。特許文献２のように、血糖値が比較的低いとき、通知または発信する血糖測定装置が知られている。
【先行技術文献】
【特許文献】
【０００４】
【特許文献１】特開平０９−１９２２１８号公報
【特許文献２】特許第４８９４４３９号公報
【発明の概要】
【発明が解決しようとする課題】
【０００５】
人体の血糖値は、食事の量、食事の間隔または運動量等の日常生活に応じて変動する。人体は、血糖値に応じて、すい臓からのインスリンの分泌量を調節しており、インスリンの人体への投与量を決定することは、困難である。特許文献１の構成では、自動的にインスリンが人体に投与され、血糖値が低下しすぎる虞がある。これにより、人体に適切な対応ができない虞がある。
【０００６】
特許文献２の構成では、血糖値が低いときのレベルに応じて、通知または発信することで、大脳機能低下症状が現れる前の事前予防および事後対応を行っている。この構成では、血糖値が高い場合、人体に適切な対応ができず、血糖値が低下してから血糖値が急上昇したとき、人体への対応が不十分になる虞がある。
【０００７】
本発明は、このような点に鑑みて創作されたものであり、その目的は、人体に適切な対応可能な自動通報装置を提供することにある。
【課題を解決するための手段】
【０００８】
本発明の自動通報装置は、血糖値検出部（４１）、異常判定部（７０）および自動発報部（７５）を備える。
血糖値検出部は、人体（１）の血糖値（Ｂ）を検出可能である。
異常判定部は、予め設定される血糖値の閾値である低血糖値（Ｂ＿ｌｏｗ）よりも血糖値が低いとき、または、低血糖値よりも高く、予め設定される閾値である高血糖値（Ｂ＿ｕｐｐ）よりも血糖値が高いとき、人体が異常であると判定する。
自動発報部は、人体が異常であると異常判定部が判定したとき、自動通報または自動警報を発する。
【０００９】
これにより、血糖値の上昇および低下の両方を見ることができ、それに伴う症状を外部から確認できる。このため、自動通報装置は、人体に適切な対応ができる。
【図面の簡単な説明】
【００１０】
【図１】第１実施形態による自動通報装置の構成を示すブロック図。
【図２】第１実施形態による自動通報装置を用いる人体の模式図。
【図３】第１実施形態による自動通報装置の処理を示すフローチャート。
【図４】第１実施形態による自動通報装置の処理を示すフローチャート。
【図５】第２実施形態による自動通報装置の構成を示すブロック図。
【発明を実施するための形態】
【００１１】
以下、実施形態による自動通報装置を図面に基づいて説明する。複数の実施形態において、実質的に同一の構成には、同一の符号を付して説明する。また、本実施形態という場合、複数の実施形態を包括する。
【００１２】
（第１実施形態）
自動通報装置１１は、コンピュータが用いられ、マイコンを主体として構成されており、ＣＰＵ、読み出し可能な非一時的有形記録媒体、ＲＯＭ、Ｉ／Ｏおよびこれらの構成を接続するバスライン等を備えている。自動通報装置１１の各処理は、ソフトウェア処理であってもよいし、専用の電子回路によるハードウェア処理であってもよい。ソフトウェア処理では、例えば、ＲＯＭ等の実体的なメモリ装置に予め記憶されたプログラムをＣＰＵで実行される。
【００１３】
図１に示すように、自動通報装置１１は、血糖値検出部４１、位置検出部４４、音検出部４５、発声部４６、カメラ４７、モニタ４９、異常判定部７０、記録部７１および自動発報部７５を備える。
【００１４】
血糖値検出部４１は、電極法を用いて、人体１の血糖値Ｂを検出可能である。なお、血糖値Ｂは、人体１の血液中のグルコースの濃度である。
血糖値検出部４１は、円形形状の断面を含む筐体および比較的小さな針を有する。この針は、人体１の皮膚組織の血液に接触可能である。この針には、グルコースと反応する酵素を含むコーティングがされている。
血糖値検出部４１は、コーティングされた針と反応したグルコースに電圧を掛けて、流れる電流を測定する。流れた電流から血糖値Ｂが演算される。
【００１５】
図２に示すように、血糖値検出部４１は、人体１の腹部７に接触して設けられている。なお、血糖値検出部４１は、人体１の耳３、胸部５、指２、腕４または手６であってもよい。図２において、血糖値検出部４１の所在を明確にするため、血糖値検出部４１の大きさを誇張して記載している。
【００１６】
位置検出部４４は、複数のＧＰＳから電波信号を受信可能である。また、位置検出部４４は、ＧＰＳの電波信号から地球の経度と緯度とで人体１の位置が表された情報である位置情報Ｉｐを演算する。演算された位置情報Ｉｐは、自動発報部７５からの信号である警報信号Ｓａとともに、監視センター８０に出力される。
【００１７】
音検出部４５は、カメラ４７の付近に設けられており、人体１からの音およびカメラ４７の撮像範囲の音を検出可能である。なお、人体１からの音は、人体１の周辺の音も含むものとする。
音検出部４５は、平行な２枚の板を近接させたコンデンサであり、一方の板をダイヤフラムに置き換えられている。振動に応じて、電極間の距離が変わり、音信号に比例した静電容量の変化が発生する。音検出部４５は、静電容量の変化を電圧の変化に変換し、増幅器を経由して、検出した音を出力する。
【００１８】
発声部４６は、カメラ４７の付近に設けられており、音検出部４５と同様の構成であり、人体１に向かって発声音Ｓｍを発生可能である。音検出部４５が発声音Ｓｍを検出しないように、音検出部４５が音を検出するタイミングが調整されている。
【００１９】
カメラ４７は、人体１を撮像可能である。カメラ４７は、広角レンズを有する撮像光学系および撮像素子を備えており、撮像を１秒間に数コマ以上のコマ数の動画として出力可能である。撮像素子は、例えば、ＣＣＤ型やＣＭＯＳ型である。ここで、ＣＣＤは、Ｃｈａｒｇｅ  Ｃｏｕｐｌｅｄ  Ｄｅｖｉｃｅの略であり、電荷結合素子を用いたセンサのことである。ＣＭＯＳは、Ｃｏｍｐｌｅｍｅｎｔａｒｙ  ＭＯＳＦＥＴの略であり、金属酸化物半導体電界効果トランジスタであるＭＯＳＦＥＴを相補形に設置されたゲート構造のことである。
【００２０】
モニタ４９は、監視センター８０に設けられており、カメラ４７が撮像した映像であるカメラ映像Ｓｃを表示可能である。
モニタ４９は、例えば、バックライトを有する液晶型、プラズマ表示型またはＯＥＬＤ型のものが用いられる。ここで、ＯＥＬＤは、Ｏｒｇａｎｉｃ  Ｅｌｅｃｔｒｏｌｕｍｉｎｅｓｃｅｎｃｅ  Ｄｉｓｐｌａｙの略であり、有機化合物を用いた層状の構造体に電圧を掛けると発光する現象を用いた表示装置である。
【００２１】
予め設定される血糖値Ｂの閾値を低血糖値Ｂ＿ｌｏｗとする。３つの低血糖値Ｂ＿ｌｏｗが設定されており、３つのうちの１つを第１低血糖値Ｂ１＿ｌｏｗとする。第１低血糖値Ｂ１＿ｌｏｗよりも低く設定される値を第２低血糖値Ｂ２＿ｌｏｗとする。第２低血糖値Ｂ２＿ｌｏｗよりも低く設定される値を第３低血糖値Ｂ３＿ｌｏｗとする。第１低血糖値Ｂ１＿ｌｏｗ、第２低血糖値Ｂ２＿ｌｏｗおよび第３低血糖値Ｂ３＿ｌｏｗの関係は、以下関係式（１）のように表される。第１低血糖値Ｂ１＿ｌｏｗは、例えば、６０−７０ｍｇ／ｄｌである。第２低血糖値Ｂ２＿ｌｏｗは、例えば、４０−５０ｍｇ／ｄｌである。第３低血糖値Ｂ３＿ｌｏｗは、例えば、２０−３５ｍｇ／ｄｌである。
Ｂ１＿ｌｏｗ＞Ｂ２＿ｌｏｗ＞Ｂ３＿ｌｏｗ          ・・・（１）
【００２２】
低血糖値Ｂ＿ｌｏｗよりも高く、予め設定される閾値を高血糖値Ｂ＿ｕｐｐとする。３つの高血糖値Ｂ＿ｕｐｐが設定されており、３つのうちの１つを第１高血糖値Ｂ１＿ｕｐｐとする。第１高血糖値Ｂ１＿ｕｐｐよりも高く設定される値を第２高血糖値Ｂ２＿ｕｐｐとする。第２高血糖値Ｂ２＿ｕｐｐよりも高く設定される値を第３高血糖値Ｂ３＿ｕｐｐとする。第１高血糖値Ｂ１＿ｕｐｐ、第２高血糖値Ｂ２＿ｕｐｐおよび第３高血糖値Ｂ３＿ｕｐｐの関係は、以下関係式（２）のように表される。第１高血糖値Ｂ１＿ｕｐｐは、例えば、１４０−１７０ｍｇ／ｄｌである。第２高血糖値Ｂ２＿ｕｐｐは、例えば、２５０−３００ｍｇ／ｄｌである。第３高血糖値Ｂ３＿ｕｐｐは、例えば、５００−６００ｍｇ／ｄｌである。
Ｂ１＿ｕｐｐ＜Ｂ２＿ｕｐｐ＜Ｂ３＿ｕｐｐ          ・・・（２）
【００２３】
異常判定部７０は、低血糖値Ｂ＿ｌｏｗよりも血糖値Ｂが低いとき、人体１が異常であると判定する。または、異常判定部７０は、高血糖値Ｂ＿ｕｐｐよりも血糖値Ｂが高いとき、人体１が異常であると判定する。異常判定部７０は、以下関係式（３）で表されるとき、人体１が異常であると判定する。または、異常判定部７０は、以下関係式（４）で表されるとき、人体１が異常であると判定する。異常判定部７０は、判定した結果を自動発報部７５に出力する。
Ｂ１＿ｌｏｗ＞Ｂ          ・・・（３）
Ｂ１＿ｕｐｐ＜Ｂ          ・・・（４）
【００２４】
血糖値Ｂが第２低血糖値Ｂ２＿ｌｏｗ未満、第３低血糖値Ｂ３＿ｌｏｗ以上であるとき、すなわち、以下関係式（５）で表されるとき、音検出部４５は、人体１からの音を検出し、発声部４６は、人体１に向かって音を発する。血糖値Ｂが第２高血糖値Ｂ２＿ｕｐｐを超え、第３高血糖値Ｂ３＿ｕｐｐ以下であるとき、すなわち、以下関係式（６）で表されるとき、音検出部４５は、人体１からの音を検出し、発声部４６は、人体１に向かって音を発する。
Ｂ２＿ｌｏｗ＞Ｂ≧Ｂ３＿ｌｏｗ          ・・・（５）
Ｂ２＿ｕｐｐ＜Ｂ≦Ｂ３＿ｕｐｐ          ・・・（６）
【００２５】
血糖値Ｂが第３低血糖値Ｂ３＿ｌｏｗ未満であるとき、すなわち、以下関係式（７）で表されるとき、カメラ４７は、人体１を撮像し、モニタ４９は、カメラ４７が撮像した映像を表示する。血糖値Ｂが第３高血糖値Ｂ３＿ｕｐｐを超えるとき、すなわち、以下関係式（８）で表されるとき、カメラ４７は、人体１を撮像し、モニタ４９は、カメラ４７が撮像した映像を表示する。
Ｂ＜Ｂ３＿ｌｏｗ          ・・・（７）
Ｂ＞Ｂ３＿ｕｐｐ          ・・・（８）
【００２６】
低血糖値Ｂ＿ｌｏｗよりも血糖値Ｂが低かったときの回数を低血糖回数Ｃ＿ｌｏｗとする。高血糖値Ｂ＿ｕｐｐよりも血糖値Ｂが高かったときの回数を高血糖回数Ｃ＿ｈｉｇｈとする。
記録部７１は、人体１が異常であると異常判定部７０が判定した回数、すなわち、低血糖回数Ｃ＿ｌｏｗまたは高血糖回数Ｃ＿ｈｉｇｈを記録可能である。記録部７１は、人体１は異常であると異常判定部７０が判定したとき、低血糖回数Ｃ＿ｌｏｗまたは高血糖回数Ｃ＿ｈｉｇｈに１回を加算する。また、記録部７１は、低血糖回数Ｃ＿ｌｏｗまたは高血糖回数Ｃ＿ｈｉｇｈをゼロにする、すなわち、低血糖回数Ｃ＿ｌｏｗまたは高血糖回数Ｃ＿ｈｉｇｈをクリアすることもできる。なお、低血糖回数Ｃ＿ｌｏｗおよび高血糖回数Ｃ＿ｈｉｇｈの初期値は、ゼロである。
【００２７】
自動発報部７５は、異常判定部７０と無線で電気的に接続されている。
自動発報部７５は、人体１が異常であると異常判定部７０が判定したとき、自動通報または警報としての警報信号Ｓａを監視センター８０に発する。自動発報部７５は、人体１が異常であると異常判定部７０が判定したとき、位置検出部４４から位置情報Ｉｐを取得する。自動発報部７５は、警報信号Ｓａとともに、位置情報Ｉｐを監視センター８０に発する。
【００２８】
また、自動発報部７５は、監視センター８０にだけでなく、警報信号Ｓａおよび位置情報Ｉｐを携帯装置７６に発する。携帯装置７６は、例えば、携帯電話または携帯可能なコンピュータである。
携帯装置７６は、警報信号Ｓａおよび位置情報Ｉｐを受信したとき、予め登録されている連絡先に電話またはメールをするように、設定されている。
【００２９】
監視センター８０では、警報信号Ｓａが受信される。
また、監視センター８０では、カメラ映像Ｓｃ、外部音Ｓｂおよび発声音Ｓｍにより、人体１の状態が確認される。
【００３０】
自動通報装置１１の処理を図３および図４のフローチャートを参照して説明する。フローチャートにおいて、「Ｓ」は、ステップを意味する。
ステップ１０１において、血糖値検出部４１は、血糖値Ｂを検出する。検出された血糖値Ｂは、異常判定部７０に出力される。
ステップ１０２において、異常判定部７０は、第１高血糖値Ｂ１＿ｕｐｐよりも血糖値Ｂが高いか否かを判定する。
血糖値Ｂが第１高血糖値Ｂ１＿ｕｐｐよりも高いとき、処理は、ステップ１０３に移行する。
血糖値Ｂが第１高血糖値Ｂ１＿ｕｐｐ以下であるとき、処理は、ステップ１１４に移行する。
【００３１】
ステップ１０３において、異常判定部７０は、人体１が異常であると判定する。
ステップ１０４において、記録部７１は、高血糖回数Ｃ＿ｈｉｇｈに１回を加算する。
ステップ１０５において、自動発報部７５は、位置情報Ｉｐを取得する。
ステップ１０６において、自動発報部７５は、警報信号Ｓａおよび位置情報Ｉｐを監視センター８０に通報または警報する。
【００３２】
ステップ１０７において、異常判定部７０は、第２高血糖値Ｂ２＿ｕｐｐよりも血糖値Ｂが高いか否かを判定する。
血糖値Ｂが第２高血糖値Ｂ２＿ｕｐｐよりも高いとき、処理は、ステップ１０８に移行する。
血糖値Ｂが第２高血糖値Ｂ２＿ｕｐｐ以下であるとき、処理は、ステップ１１３に移行する。
【００３３】
ステップ１０８において、音検出部４５および発声部４６が起動する。音検出部４５および発声部４６が起動することにより、監視センター８０と人体１とは、会話できる。
ステップ１０９において、異常判定部７０は、第３高血糖値Ｂ３＿ｕｐｐよりも血糖値Ｂが高いか否かを判定する。
血糖値Ｂが第３高血糖値Ｂ３＿ｕｐｐよりも高いとき、処理は、ステップ１１０に移行する。
血糖値Ｂが第３高血糖値Ｂ３＿ｕｐｐ以下であるとき、処理は、ステップ１１３に移行する。
【００３４】
ステップ１１０において、カメラ４７およびモニタ４９が起動する。カメラ４７およびモニタ４９が起動することにより、監視センター８０は、人体１の状態を目視で確認できる。
ステップ１１１において、自動発報部７５は、携帯装置７６に位置情報Ｉｐを送信する。
ステップ１１２において、携帯装置７６は、位置情報Ｉｐを受信し、予め登録されている連絡先に電話またはメールを自動送信する。
【００３５】
ステップ１１３において、血糖値検出部４１の電源がオンまたはオフされているか否かが判定される。
血糖値検出部４１の電源がオンのとき、処理は、ステップ１０１に戻る。
血糖値検出部４１の電源がオフのとき、処理は、終了する。
【００３６】
ステップ１０２を経由するステップ１１４において、異常判定部７０は、第１低血糖値Ｂ１＿ｌｏｗよりも血糖値Ｂが低いか否かを判定する。
血糖値Ｂが第１低血糖値Ｂ１＿ｌｏｗよりも低いとき、処理は、ステップ１１５に移行する。
血糖値Ｂが第１低血糖値Ｂ１＿ｌｏｗ以上であるとき、処理は、ステップ１１３に移行する。
【００３７】
ステップ１１５において、異常判定部７０は、人体１が異常であると判定する。
ステップ１１６において、記録部７１は、低血糖回数Ｃ＿ｌｏｗに１回を加算する。
ステップ１１７およびステップ１１８は、ステップ１０５およびステップ１０６と同様である。
【００３８】
ステップ１１９において、異常判定部７０は、第２低血糖値Ｂ２＿ｌｏｗよりも血糖値Ｂが低いか否かを判定する。
血糖値Ｂが第２低血糖値Ｂ２＿ｌｏｗよりも低いとき、処理は、ステップ１２０に移行する。
血糖値Ｂが第２低血糖値Ｂ２＿ｌｏｗ以上であるとき、処理は、ステップ１１３に移行する。
【００３９】
ステップ１２０は、ステップ１０８と同様である。
ステップ１２１において、異常判定部７０は、第３低血糖値Ｂ３＿ｌｏｗよりも血糖値Ｂが低いか否かを判定する。
血糖値Ｂが第３低血糖値Ｂ３＿ｌｏｗよりも低いとき、処理は、ステップ１２２に移行する。
血糖値Ｂが第３低血糖値Ｂ３＿ｌｏｗ以上であるとき、処理は、ステップ１１３に移行する。
ステップ１２２−１２４は、ステップ１１０−１１２と同様である。
【００４０】
従来、特許文献１の構成では、自動的にインスリンが人体に投与され、血糖値が低下しすぎる虞がある。これにより、人体に適切な対応ができない虞がある。
また、特許文献２の構成では、血糖値が低下したとき、通知をしてブドウ糖等を人体に摂取する対応をしている。この構成では、血糖値が比較的高い人体の場合、血糖値が低下してから血糖値が急上昇したとき、人体への対応が不十分になる虞がある。そこで、本実施形態の自動通報装置は、人体に適切な対応可能にする。
【００４１】
（効果）
［１］異常判定部７０は、血糖値Ｂが低血糖値Ｂ＿ｌｏｗよりも低いとき、または、血糖値Ｂが高血糖値Ｂ＿ｕｐｐよりも高いとき、人体１が異常であると判定する。人体１が異常であると異常判定部７０が判定したとき、自動発報部７５は、自動発報または自動警報を外部に発する。これにより、血糖値Ｂの上昇および低下の両方を見ることができ、血糖値Ｂが低いときまたは高いときに伴う症状を外部から確認できる。このため、自動通報装置１１は、人体１が置かれている状況に影響を受けないで、人体１に適切な対応ができる。
【００４２】
［２］血糖値Ｂが第２低血糖値Ｂ２＿ｌｏｗ未満、第３低血糖値Ｂ３＿ｌｏｗ以上であるとき、発声部４６は、人体１に向かって音を発する。血糖値Ｂが第２高血糖値Ｂ２＿ｕｐｐを超え、第３高血糖値Ｂ３＿ｕｐｐ以下であるとき、発声部４６は、人体１に向かって音を発する。血糖値Ｂが第３低血糖値Ｂ３＿ｌｏｗ未満であるとき、カメラ４７は、人体１を撮像し、モニタ４９は、カメラ４７が撮像した映像を表示する。血糖値Ｂが第３高血糖値Ｂ３＿ｕｐｐを超えるとき、カメラ４７は、人体１を撮像し、モニタ４９は、カメラ４７が撮像した映像を表示する。
【００４３】
血糖値Ｂが比較的低い場合、症状として、異常な空腹感、脱力感または生あくび等が人体１に生じる。さらに、血糖値Ｂが低下すると、症状として、不安感、動悸、冷や汗または手もしくは指の震え等が人体１に生じる。このとき、外部から人体１と会話をすることで、人体１に不快感を与えることなく、適切に対応できる。また、血糖値Ｂがさらに低下すると、症状として、呂律が回らなくなる、めまい、疲労感、痙攣または意識を失う等が人体１に生じる。このとき、人体１とは会話できないと想定されるので、カメラ４７が撮像することによって、人体１の状態を確認できる。監視センター８０は、必要であれば、血縁者、病院、消防署または警察署等に通報し、人体１に適切な対応可能になる。
【００４４】
血糖値Ｂが比較的高い場合、症状として、異常な喉の渇き、頻尿、脱力感、疲労感または体重減が人体１に生じる。さらに、血糖値Ｂが上昇すると、症状として、脱水、吐き気、腹痛または口臭等が人体１に生じる。このとき、外部から人体１と会話をすることで、人体１に不快感を与えることなく、適切に対応できる。また、血糖値Ｂがさらに上昇すると、症状として、意識障害等が人体１に生じる。このとき、人体１とは会話できないと想定されるので、カメラ４７が撮像することによって、人体１の状態を確認できる。血糖値Ｂが比較的低いときと同様に、監視センター８０は、必要であれば、血縁者、病院、消防署または警察署等に通報し、人体１に適切な対応可能になる。
このように、自動通報装置１１では、血糖値Ｂに応じて、人体１に適切な対応ができる。
【００４５】
［３］記録部７１は、人体１は異常であると異常判定部７０が判定した回数、すなわち、低血糖回数Ｃ＿ｌｏｗまたは高血糖回数Ｃ＿ｈｉｇｈを記録可能である。記録部７１により、人体１がどのような状態であったかを見ることができる。このため、人体１の健康管理および医師または専門家からの健康管理の指導を人体１に適切にしやすくなる。
【００４６】
（第２実施形態）
第２実施形態では、尿酸値検出部をさらに備える点を除き、第１実施形態と同様である。
図５に示すように、第２実施形態の自動通報装置１２は、尿酸値検出部７２をさらに備える。
【００４７】
尿酸値検出部７２は、人体１の尿酸値Ｕを検出可能である。尿酸値Ｕは、人体１の血液中の尿酸の濃度である。尿酸値検出部７２は、異常判定部２７０に接続されており、血糖値検出部４１と一体に構成されている。予め設定される尿酸値Ｕの閾値を尿酸上限値Ｕ＿ｕｐｐとする。尿酸上限値Ｕ＿ｕｐｐは、例えば、７０ｍｇ／ｄｌである。
異常判定部２７０は、尿酸値検出部７２が検出した尿酸値Ｕが尿酸上限値Ｕ＿ｕｐｐよりも高いとき、人体１は異常であると判定する。
第２実施形態においても第１実施形態と同様の効果を奏する。
【００４８】
人体１のインスリンの働きが悪く、血糖値Ｂが比較的高い場合、血糖値Ｂが高くなるのを抑えようとしてインスリンが過剰に分泌される。このとき、人体１の血液中のインスリンの濃度が高くなり、尿酸が体外に排出されにくくなり、尿酸値Ｕが上昇する。尿酸値Ｕが比較的高い場合、症状として、人体１に痛風が生じる。このように、尿酸値Ｕと血糖値Ｂとは関係している。第２実施形態の自動通報装置１２では、尿酸値検出部７２により、人体１の症状をより明確にでき、人体１が置かれる状況に影響なく、より適切に人体１に対応できる。
【００４９】
（他の実施形態）
（ｉ）血糖値検出部は、比色法を用いて、人体の血糖値Ｂを検出してもよい。比色法では、血液を特定の酵素と反応させ、色の変化を比較することで、血糖値が測定される。また、血糖値は、人体の汗、尿または唾液等の生体液中のグルコースの濃度としてもよい。
また、血糖値検出部は、リストバンド型、ヘッドギア型、腕時計型、ネックレス型、指輪型、イヤリング型または貼付膜型等の形状であってもよく、血糖値検出部の形状は、限定されない。さらに、実施形態では、血糖値検出部は、接触型を用いているが、非接触型であってもよい。
【００５０】
（ｉｉ）異常判定部は、低血糖値および高血糖値を各３つ設定されている。低血糖値および高血糖値は、各３つに限定されず、各３つ以上に設定されてもよい。閾値の数が多くなるほど、人体の状況を細分化できるため、人体への適切な対応がしやすくなる。
【００５１】
（ｉｉｉ）音検出部は、コンデンサ型に限らず、ムービングコイル型、リボン型、圧電型またはレーザ型であってもよい。
以上、本発明はこのような実施形態に限定されるものではなく、その趣旨を逸脱しない範囲において、種々の形態で実施することができる。
【符号の説明】
【００５２】
１  ・・・人体、
４１  ・・・血糖値検出部、
７０  ・・・異常判定部、
７５  ・・・自動発報部、
Ｂ  ・・・血糖値、
Ｂ＿ｌｏｗ  ・・・低血糖値、
Ｂ＿ｕｐｐ  ・・・高血糖値。
【図１】
2019040291.tif 000003
【図２】
2019040291.tif 000004
【図３】
2019040291.tif 000005
【図４】
2019040291.tif 000006
【図５】
2019040291.tif 000007
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
人体（１）の血糖値（Ｂ）を検出可能な血糖値検出部（４１）と、
予め設定される前記血糖値の閾値である低血糖値（Ｂ＿ｌｏｗ）よりも前記血糖値が低いとき、および、前記低血糖値よりも高く、予め設定される閾値である高血糖値（Ｂ＿ｕｐｐ）よりも前記血糖値が高いとき、前記人体が異常であると判定する異常判定部（７０）と、
前記人体が異常であると前記異常判定部が判定したとき、自動通報または自動警報を発する自動発報部（７５）と、
前記人体からの音を検出可能な音検出部（４５）と、
前記人体に音を発生可能な発声部（４６）と、
前記人体を撮像可能なカメラ（４７）と、
前記カメラが撮像した映像を表示可能なモニタ（４９）と、
を備え、
３つの前記低血糖値が設定されており、３つのうちの１つの前記低血糖値を第１低血糖値（Ｂ１＿ｌｏｗ）とし、前記第１低血糖値よりも低く設定される前記低血糖値を第２低血糖値（Ｂ２＿ｌｏｗ）とし、前記第２低血糖値よりも低く設定される前記低血糖値を第３低血糖値（Ｂ３＿ｌｏｗ）とすると、
前記血糖値が前記第１低血糖値未満、前記第２低血糖値以上であるとき、前記異常判定部は、前記人体は異常であると判定し、
前記血糖値が前記第２低血糖値未満、前記第３低血糖値以上であるとき、前記音検出部は、前記人体からの音を検出し、前記発声部は、前記人体に向かって音を発し、
前記血糖値が前記第３低血糖値未満であるとき、前記カメラは、前記人体を撮像し、前記モニタは、前記カメラが撮像した映像を表示する自動通報装置。
【請求項２】
人体（１）の血糖値（Ｂ）を検出可能な血糖値検出部（４１）と、
予め設定される前記血糖値の閾値である低血糖値（Ｂ＿ｌｏｗ）よりも前記血糖値が低いとき、および、前記低血糖値よりも高く、予め設定される閾値である高血糖値（Ｂ＿ｕｐｐ）よりも前記血糖値が高いとき、前記人体が異常であると判定する異常判定部（７０）と、
前記人体が異常であると前記異常判定部が判定したとき、自動通報または自動警報を発する自動発報部（７５）と、
前記人体からの音を検出可能な音検出部（４５）と、
前記人体に音を発生可能な発声部（４６）と、
前記人体を撮像可能なカメラ（４７）と、
前記カメラが撮像した映像を表示可能なモニタ（４９）と、
を備え、
３つの前記高血糖値が設定されており、３つのうちの１つの前記高血糖値を第１高血糖値（Ｂ１＿ｕｐｐ）とし、前記第１高血糖値よりも高く設定される前記高血糖値を第２高血糖値（Ｂ２＿ｕｐｐ）とし、前記第２高血糖値よりも高く設定される前記高血糖値を第３高血糖値（Ｂ３＿ｕｐｐ）とすると、
前記血糖値が前記第１高血糖値を超え、前記第２高血糖値以下であるとき、前記異常判定部は、前記人体は異常であると判定し、
前記血糖値が前記第２高血糖値を超え、前記第３高血糖値以下であるとき、前記音検出部は、前記人体からの音を検出し、前記発声部は、前記人体に向かって音を発し、
前記血糖値が前記第３高血糖値を超えるとき、前記カメラは、前記人体を撮像し、前記モニタは、前記カメラが撮像した映像を表示する自動通報装置。
【請求項３】
前記血糖値検出部は、前記人体に接触して前記血糖値を検出する請求項１または２に記載の自動通報装置。
【請求項４】
前記人体の位置情報を取得する位置検出部（４４）をさらに備え、
前記自動発報部は、通報または警報とともに前記位置情報を発する請求項１から３のいずれか一項に記載の自動通報装置。
【請求項５】
前記低血糖値よりも前記血糖値が低かったときの回数である低血糖回数（Ｃ＿ｌｏｗ）または前記高血糖値よりも前記血糖値が高かったときの回数である高血糖回数（Ｃ＿ｈｉｇｈ）を記録可能な記録部（７１）をさらに備える請求項１から４のいずれか一項に記載の自動通報装置。
【請求項６】
前記人体の尿酸値（Ｕ）を検出可能な尿酸値検出部（７２）をさらに備え、
前記異常判定部は、予め設定される前記尿酸値の閾値である尿酸上限値（Ｕ＿ｕｐｐ）よりも前記尿酸値が高いとき、前記人体が異常であると判定する請求項１から５のいずれか一項に記載の自動通報装置。
【手続補正２】
【補正対象書類名】明細書
【補正対象項目名】０００８
【補正方法】変更
【補正の内容】
【０００８】
本発明の自動通報装置は、血糖値検出部（４１）、異常判定部（７０）、自動発報部（７５）、音検出部（４５）、発声部（４６）、カメラ（４７）およびモニタ（４９）を備える。
血糖値検出部は、人体（１）の血糖値（Ｂ）を検出可能である。
異常判定部は、予め設定される血糖値の閾値である低血糖値（Ｂ＿ｌｏｗ）よりも血糖値が低いとき、または、低血糖値よりも高く、予め設定される閾値である高血糖値（Ｂ＿ｕｐｐ）よりも血糖値が高いとき、人体が異常であると判定する。
自動発報部は、人体が異常であると異常判定部が判定したとき、自動通報または自動警報を発する。
音検出部は、人体からの音を検出可能である。
発声部は、人体に音を発生可能である。
カメラは、人体を撮像可能である。
モニタは、カメラが撮像した映像を表示可能である。
３つの低血糖値が設定されており、３つのうちの１つの低血糖値を第１低血糖値（Ｂ１＿ｌｏｗ）とする。第１低血糖値よりも低く設定される低血糖値を第２低血糖値（Ｂ２＿ｌｏｗ）とする。第２低血糖値よりも低く設定される低血糖値を第３低血糖値（Ｂ３＿ｌｏｗ）とする。
血糖値が第１低血糖値未満、第２低血糖値以上であるとき、異常判定部は、人体は異常であると判定する。
血糖値が第２低血糖値未満、第３低血糖値以上であるとき、音検出部は、人体からの音を検出し、発声部は、人体に向かって音を発する。
血糖値が第３低血糖値未満であるとき、カメラは、人体を撮像し、モニタは、カメラが撮像した映像を表示する。
上記と同様に、３つの高血糖値が設定されており、３つのうちの１つの高血糖値を第１高血糖値（Ｂ１＿ｕｐｐ）とする。第１高血糖値よりも高く設定される高血糖値を第２高血糖値（Ｂ２＿ｕｐｐ）とする。第２高血糖値よりも高く設定される高血糖値を第３高血糖値（Ｂ３＿ｕｐｐ）とする。
血糖値が第１高血糖値を超え、第２高血糖値以下であるとき、異常判定部は、人体は異常であると判定する。
血糖値が第２高血糖値を超え、第３高血糖値以下であるとき、音検出部は、人体からの音を検出し、発声部は、人体に向かって音を発する。
血糖値が第３高血糖値を超えるとき、カメラは、人体を撮像し、モニタは、カメラが撮像した映像を表示する。
【手続補正書】
【提出日】平成30年3月19日(2018.3.19)
【手続補正１】
【補正対象書類名】特許請求の範囲
【補正対象項目名】全文
【補正方法】変更
【補正の内容】
【特許請求の範囲】
【請求項１】
人体（１）の血糖値（Ｂ）を検出可能な血糖値検出部（４１）と、
予め設定される前記血糖値の閾値である低血糖値（Ｂ＿ｌｏｗ）よりも前記血糖値が低いとき、および、前記低血糖値よりも高く、予め設定される閾値である高血糖値（Ｂ＿ｕｐｐ）よりも前記血糖値が高いとき、前記人体が異常であると判定する異常判定部（７０）と、
前記人体が異常であると前記異常判定部が判定したとき、自動通報または自動警報を発する自動発報部（７５）と、
前記人体からの音を検出可能な音検出部（４５）と、
前記人体に音を発生可能な発声部（４６）と、
前記人体を撮像可能なカメラ（４７）と、
前記カメラが撮像した映像を表示可能なモニタ（４９）と、
を備え、
３つの前記低血糖値が設定されており、３つのうちの１つの前記低血糖値を第１低血糖値（Ｂ１＿ｌｏｗ）とし、前記第１低血糖値よりも低く設定される前記低血糖値を第２低血糖値（Ｂ２＿ｌｏｗ）とし、前記第２低血糖値よりも低く設定される前記低血糖値を第３低血糖値（Ｂ３＿ｌｏｗ）とすると、
前記血糖値が前記第１低血糖値未満であるとき、前記異常判定部は、前記人体は異常であると判定し、
前記血糖値が前記第２低血糖値未満であるとき、前記音検出部は、前記人体からの音を検出し、前記発声部は、前記人体に向かって音を発し、
前記血糖値が前記第３低血糖値未満であるとき、前記カメラは、前記人体を撮像し、前記モニタは、前記カメラが撮像した映像を表示する自動通報装置。
【請求項２】
人体（１）の血糖値（Ｂ）を検出可能な血糖値検出部（４１）と、
予め設定される前記血糖値の閾値である低血糖値（Ｂ＿ｌｏｗ）よりも前記血糖値が低いとき、および、前記低血糖値よりも高く、予め設定される閾値である高血糖値（Ｂ＿ｕｐｐ）よりも前記血糖値が高いとき、前記人体が異常であると判定する異常判定部（７０）と、
前記人体が異常であると前記異常判定部が判定したとき、自動通報または自動警報を発する自動発報部（７５）と、
前記人体からの音を検出可能な音検出部（４５）と、
前記人体に音を発生可能な発声部（４６）と、
前記人体を撮像可能なカメラ（４７）と、
前記カメラが撮像した映像を表示可能なモニタ（４９）と、
を備え、
３つの前記高血糖値が設定されており、３つのうちの１つの前記高血糖値を第１高血糖値（Ｂ１＿ｕｐｐ）とし、前記第１高血糖値よりも高く設定される前記高血糖値を第２高血糖値（Ｂ２＿ｕｐｐ）とし、前記第２高血糖値よりも高く設定される前記高血糖値を第３高血糖値（Ｂ３＿ｕｐｐ）とすると、
前記血糖値が前記第１高血糖値を超えるとき、前記異常判定部は、前記人体は異常であると判定し、
前記血糖値が前記第２高血糖値を超えるとき、前記音検出部は、前記人体からの音を検出し、前記発声部は、前記人体に向かって音を発し、
前記血糖値が前記第３高血糖値を超えるとき、前記カメラは、前記人体を撮像し、前記モニタは、前記カメラが撮像した映像を表示する自動通報装置。
【請求項３】
前記血糖値検出部は、前記人体に接触して前記血糖値を検出する請求項１または２に記載の自動通報装置。
【請求項４】
前記血糖値が前記第１低血糖値未満であったときの回数である低血糖回数（Ｃ＿ｌｏｗ）を記録可能な記録部（７１）をさらに備える請求項１に記載の自動通報装置。
【請求項５】
前記血糖値が前記第１高血糖値を超えたときの回数である高血糖回数（Ｃ＿ｈｉｇｈ）を記録可能な記録部（７１）をさらに備える請求項２に記載の自動通報装置。
【請求項６】
前記人体の尿酸値（Ｕ）を検出可能な尿酸値検出部（７２）をさらに備え、
前記異常判定部は、予め設定される前記尿酸値の閾値である尿酸上限値（Ｕ＿ｕｐｐ）よりも前記尿酸値が高いとき、前記人体が異常であると判定する請求項１から５のいずれか一項に記載の自動通報装置。
【手続補正２】
【補正対象書類名】明細書
【補正対象項目名】０００８
【補正方法】変更
【補正の内容】
【０００８】
本発明の自動通報装置は、血糖値検出部（４１）、異常判定部（７０）、自動発報部（７５）、音検出部（４５）、発声部（４６）、カメラ（４７）およびモニタ（４９）を備える。
血糖値検出部は、人体（１）の血糖値（Ｂ）を検出可能である。
異常判定部は、予め設定される血糖値の閾値である低血糖値（Ｂ＿ｌｏｗ）よりも血糖値が低いとき、または、低血糖値よりも高く、予め設定される閾値である高血糖値（Ｂ＿ｕｐｐ）よりも血糖値が高いとき、人体が異常であると判定する。
自動発報部は、人体が異常であると異常判定部が判定したとき、自動通報または自動警報を発する。
音検出部は、人体からの音を検出可能である。
発声部は、人体に音を発生可能である。
カメラは、人体を撮像可能である。
モニタは、カメラが撮像した映像を表示可能である。
３つの低血糖値が設定されており、３つのうちの１つの低血糖値を第１低血糖値（Ｂ１＿ｌｏｗ）とする。第１低血糖値よりも低く設定される低血糖値を第２低血糖値（Ｂ２＿ｌｏｗ）とする。第２低血糖値よりも低く設定される低血糖値を第３低血糖値（Ｂ３＿ｌｏｗ）とする。
血糖値が第１低血糖値未満であるとき、異常判定部は、人体は異常であると判定する。
血糖値が第２低血糖値未満であるとき、音検出部は、人体からの音を検出し、発声部は、人体に向かって音を発する。
血糖値が第３低血糖値未満であるとき、カメラは、人体を撮像し、モニタは、カメラが撮像した映像を表示する。
上記と同様に、３つの高血糖値が設定されており、３つのうちの１つの高血糖値を第１高血糖値（Ｂ１＿ｕｐｐ）とする。第１高血糖値よりも高く設定される高血糖値を第２高血糖値（Ｂ２＿ｕｐｐ）とする。第２高血糖値よりも高く設定される高血糖値を第３高血糖値（Ｂ３＿ｕｐｐ）とする。
血糖値が第１高血糖値を超えるとき、異常判定部は、人体は異常であると判定する。
血糖値が第２高血糖値を超えるとき、音検出部は、人体からの音を検出し、発声部は、人体に向かって音を発する。
血糖値が第３高血糖値を超えるとき、カメラは、人体を撮像し、モニタは、カメラが撮像した映像を表示する。